(57)【要約】【課題】コールドドラフトと結露を防止できる誘引吹出口を得る。【解決手段】外部から送り込まれた供給空気で被空調空間Ｓの空気を誘引混合してその混合空気を被空調空間Ｓへ吹出す本体１を、備える。本体内に環状の間隔部２を形成する。間隔部２の周方向へ供給空気が送り込まれるように送気口３を、設ける。間隔部２の風下に、供給空気と誘引空気の混合空気を被空調空間Ｓへ誘導案内する混合空気吹出風路６と、誘引空気を被空調空間Ｓから混合空気吹出風路Ｓへ誘導案内する誘引風路７と、供給空気を混合空気吹出風路６に噴出させて誘引風路７から空気を誘引させる空気噴出路４と、を設ける。【選択図】図１
2012063079.tif 000002
【特許請求の範囲】
【請求項１】
外部から送り込まれた供給空気で被空調空間（Ｓ）の空気を誘引混合してその混合空気を前記被空調空間（Ｓ）へ吹出す本体（１）を、備え、この本体（１）内に環状の間隔部（２）を形成し、この間隔部（２）の周方向へ前記供給空気が送り込まれるように送気口（３）を、設け、前記間隔部（２）の風下に、前記供給空気と誘引空気の前記混合空気を前記被空調空間（Ｓ）へ誘導案内する混合空気吹出風路（６）と、前記誘引空気を前記被空調空間（Ｓ）から前記混合空気吹出風路（６）へ誘導案内する誘引風路（７）と、前記供給空気を前記混合空気吹出風路（６）に噴出させて前記誘引風路（７）から空気を誘引させる空気噴出路（４）と、を設けたことを特徴とする誘引吹出口。
【請求項２】
混合空気吹出風路（６）を、風上から風下に向かって拡大する丸形又は多角形の環状に形成し、誘引風路（７）を、前記混合空気吹出風路（６）の外周に沿って環状に形成した請求項１記載の誘引吹出口。
【請求項３】
本体（１）内に筒状の仕切体（１７）を同心状に設けて環状の間隔部（２）を形成し、前記本体（１）を吊下げて天井板との隙間（Ｈ）の調節を行うボルトナット部材（１０）を、前記仕切体（１７）を介して臨めるように構成した請求項１又は２記載の誘引吹出口。
【請求項４】
混合空気吹出風路（６）又は／及び間隔部（２）に、被空調空間（Ｓ）へ混合空気を渦巻き状にして誘導案内するガイド部（１８）を、設けた請求項１、２又は３記載の誘引吹出口。
【請求項５】
仕切体（１７）の内部に、照明器具（１４）、又は／及び、被空調空間（Ｓ）の人体を検出して信号を出力する検出器（１５）を、設け、この検出器（１５）の信号に応じて吹出風量と照明器具調光の一方又は両方を制御するように構成した請求項３、４又は５記載の誘引吹出口。
【発明の詳細な説明】
【技術分野】
【０００１】
本発明は誘引吹出口に関するものである。
【背景技術】
【０００２】
送風動力削減を目的として、空調機からの供給空気を通常よりも低温、少風量化して室内などの被空調空間に設けた吹出口から給気し、空調を行う低温送風空調システムがある。この空調システムに、一般的なふく流吹出口を用いると、供給空気が低温少風量のために、気流が拡散せずコールドドラフトと結露が発生する。
【０００３】
【特許文献１】実開平７−４１３４５号公報
【発明の開示】
【発明が解決しようとする課題】
【０００４】
これを防ぐために特許文献１のようなの吹出口が提案されている。この吹出口には、拡散性の低下を防ぐために旋回羽根を設けているが、構造が複雑で圧力損失が大きく騒音発生の問題がある。さらに、吹出口の最下面である室内開口部で室内空気を誘引するので吹出口内部で結露が発生する。そのため吹出口全体の断熱処理が必要となる。しかも、低温の供給空気と誘引空気は偏って混合されるためにドラフトが発生しやすくなる。
【課題を解決するための手段】
【０００５】
本発明は上記課題を解決するため、外部から送り込まれた供給空気で被空調空間の空気を誘引混合してその混合空気を前記被空調空間へ吹出す本体を、備え、この本体内に環状の間隔部を形成し、この間隔部の周方向へ前記供給空気が送り込まれるように送気口を、設け、前記間隔部の風下に、前記供給空気と誘引空気の前記混合空気を前記被空調空間へ誘導案内する混合空気吹出風路と、前記誘引空気を前記被空調空間から前記混合空気吹出風路へ誘導案内する誘引風路と、前記供給空気を前記混合空気吹出風路に噴出させて前記誘引風路から空気を誘引させる空気噴出路と、を設けたことを最も主要な特徴とする。
【発明の効果】
【０００６】
請求項１の発明によれば、
（１）本体の間隔部に沿って供給空気が渦巻き状に旋回して全周に行き渡るので、混合空気を被空調空間に均等に吹出すことができ拡散性が低下しない。簡単な構造でコンパクト化を図れてスペースをとらず、圧力損失が少なく乱流を防止してスムースに吹出しでき、低騒音となる。
（２）本体内部で低温の供給空気とそれよりも高温の誘引空気を混合して吹出すので空気噴出口より風下での結露発生を防止できる。そのため、誘引口と混合空気吹出風路の断熱が不要となって断熱処理範囲が少なくて済み、製作が容易となる。
【０００７】
請求項２の発明によれば、
（１）空気噴出路が環状なのでノズル状の場合よりも低圧損で風量を増やすことが可能で、供給空気の風量に対する誘引空気の風量（混合比）を多く確保できる。そのため、混合空気の吹出風量の増加を図れて、拡散性が良好となり温度ムラがなくなる。
（２）本体の径方向外方から空気を誘引して、本体の径方向内方から吹出すので、コアンダ効果による天井面の汚れが発生しない。そのため、天井面が美しくメンテナンスフリーとなる。
【０００８】
請求項３の発明によれば、
（１）本体を天井内に吊下げたまま、仕切体内からボルトナット部材にて本体と天井板との隙間の調節を簡単に行うことできる。
【０００９】
請求項４の発明によれば、
（１）混合空気を渦巻き状に旋回させて被空調空間に吹出すのを促進でき、拡散性が向上する。
【００１０】
請求項５の発明によれば、
（１）被空調空間に人がいないときに空調や照明に無駄なエネルギーを使うことがなくなり省エネとなる。
（２）照明器具から発生する熱を利用することで冷房時には再熱効果を得られ結露を一層確実に防止できる。また、暖房時には照明器具の発熱を供給空気の予熱に利用することで暖房能力アップを図れる。
【実施例】
【００１１】
図１〜図４は、本発明の誘引吹出口の一実施例を示しており、この誘引吹出口は、外部から送り込まれた供給空気で被空調空間Ｓの空気を誘引混合してその混合空気を被空調空間Ｓへ吹出す本体１を、備えている。被空調空間Ｓは、オフィスビルや病院、ホテルなどの各種建物の室内やホールなどの空間である。この被空調空間Ｓの天井等に誘引吹出口を設ける。誘引吹出口には、図示省略の空調機からダクト等を介して調和用空気等が供給される。なお、各図における点線の太矢印は風向を示す。
【００１２】
本体１内の風上側には環状の間隔部２を形成する。この間隔部２の周方向へ供給空気が送り込まれるように送気口３を、設ける。間隔部２の軸方向の風下には、供給空気と誘引空気の混合空気を被空調空間Ｓへ誘導案内する混合空気吹出風路６と、誘引空気を被空調空間Ｓから混合空気吹出風路６へ誘導案内する誘引風路７と、通過断面積を減少させ風速を高めて供給空気を混合空気吹出風路６に噴出させて誘引風路７から空気を誘引させる空気噴出路４と、を設ける。混合空気吹出風路６、又は／及び、間隔部２には、被空調空間Ｓへ混合空気を渦巻き状にして誘導案内するガイド部１８を、設ける。
【００１３】
混合空気吹出風路６は、風上から風下に向かって拡大する丸形の環状に形成し、誘引空気を被空調空間Ｓから誘引口５へ誘導案内する誘引風路７を、混合空気吹出風路６の外周に沿って環状に形成する。なお、本発明において環状とはリング状、筒状、フレア状など各種形状を全て含むものとする。
【００１４】
本体１は、被空調空間Ｓ側が開口する笠状の外壁体１１及び内壁体１２と筒状の仕切体１７と、を備えている。仕切体１７は、笠状の先端部１３を有している。先端部１３は内壁体１２の内部に所定間隔を隔てて設け、内壁体１２は外壁体１１の内部に所定間隔を隔てて設ける。この外壁体１１の内面と内壁体１２の外面にて誘引風路７を形成し、内壁体１２の内面と先端部１３の外面にて混合空気吹出風路６を形成する。混合空気吹出風路６のガイド部１８は、先端部１３の外面に複数の凸条を渦巻き状に形成して成る。混合空気吹出風路６の風上部は本体１の軸方向内方に設けて風路を長くする。図例では先端部１３は有底筒状となっているが、被空調空間Ｓ側を開口させた構造とするも自由で、混合空気吹出風路６のガイド部１８は、内壁体１２の内面又は／及び先端部１３の外面に設けても良い。
【００１５】
仕切体１７は本体１の内部に所定間隔を隔てて同心状に設ける。この本体１の風上側内面と仕切体１７の風上側外面にて間隔部２を形成する。送気口３は本体１の風上側に、間隔部２の周方向へ供給空気が螺旋状に流れるように内接線状に設ける。間隔部２のガイド部１８は、仕切体１７の風上側外面に一つ又は複数の凸条を渦巻き状に形成して成る。この本体１を天井内等に吊下げ固定し、天井板との隙間Ｈの調節を行うボルトナット部材１０を、仕切体１７を介して臨めるように構成する。なお、本体１の風上側内周面は丸形となっているが多角形でも良く、間隔部２のガイド部１８は、間隔部２を形成する本体１の風上側内面又は／及び仕切体１７の風上側外面に、設けても良い。また、ガイド部１８、間隔部２、混合空気吹出風路６及び誘引風路７の構成、構造の変更は自由であり、図例に限定されるものではない。
【００１６】
本体１に送り込まれた供給空気は、間隔部２に沿って回りながら拡散し、ガイド部１８で旋回流が促進されて空気噴出口４を通過し、混合空気吹出風路６に向かって噴出する。その際、空気噴出口４と誘引風路７の連通部が負圧となって、被空調空間Ｓの空気を誘引風路７を介して誘引する。誘引空気は混合空気吹出風路６に周り込み全周から吸込まれて供給空気と混合する。そのため混合空気吹出風量に対する供給空気風量：誘引空気風量の比率を例えば６：４のように多くできる。混合空気は混合空気吹出風路６を通り、ガイド部１８で旋回流が促進されて被空調空間Ｓへ吹出す。例えば、冷房時、混合空気吹出風路６では１３℃の低温の供給空気と、それよりも高温の２７℃の誘引空気を混合するので結露は生じない。なお、供給空気は誘引混合された時点で被空調空間Ｓの露点温度より高温で絶対湿度が低くなるように設定するが変更は自由である。
【００１７】
仕切体１７の内部には、照明器具１４、又は／及び、被空調空間Ｓの人体を検出して信号を出力する人感センサ等の検出器１５を、取付・取外し自在に設け、この検出器１５の信号に応じて吹出風量と照明器具調光の一方又は両方を制御するように構成する。照明器具１４は、調光等を行う制御器や電源ユニット１６など被空調空間Ｓを照明するための装置一式を含むもので、蛍光灯や白熱灯、ＬＥＤなどの種々のものが適用可能である。照明器具１４から発生する熱は仕切体１７を介して伝わって、冷房時は再熱効果を得られ、暖房時は予熱効果を得ることができる。さらに、照明器具１４の熱を冷房時の結露防止に利用することで仕切体１７の断熱処理範囲を一層少なくできる。また、図示省略するが仕切体１７から本体１の外部に貫通する通気孔を形成することで、仕切体１７を排気路に兼用し、照明器具１４から発生する熱を外部へ排気させることもできる。
【００１８】
なお、本発明は上述の実施例に限定されず、本発明の要旨を逸脱しない範囲で設計変更自由である。例えば、図５に示すように、誘引風路７及び混合空気吹出風路６は、風上から風下に向かって拡大する四角を含む多角形の環状に形成しても良い。さらに、ガイド部１８と照明器具１４の一方又は両方を省略しても良い。
【図面の簡単な説明】
【００１９】
【図１】誘引吹出口の縦断面図である。
【図２】誘引吹出口を被空調空間の反対側から見た全体図である。
【図３】誘引吹出口を被空調空間側から見た全体図である。
【図４】一部を省略した図２のＡ−Ａ断面図である。
【図５】変形例を示す被空調空間側から見た全体図である。
【符号の説明】
【００２０】
１    本体
２    間隔部
３    送気口
４    空気噴出口
６    混合空気吹出風路
７    誘引風路
１０  ボルトナット部材
１４  照明器具
１５  検出器
１８  ガイド部
Ｓ    被空調空間
Ｈ    隙間
【図１】
2012063079.tif 000003
【図２】
2012063079.tif 000004
【図３】
2012063079.tif 000005
【図４】
2012063079.tif 000006
【図５】
2012063079.tif 000007
【手続補正書】
【提出日】平成22年11月25日(2010.11.25)
【手続補正１】
【補正対象書類名】特許請求の範囲
【補正対象項目名】請求項５
【補正方法】変更
【補正の内容】
【請求項５】
仕切体（１７）の内部に、照明器具（１４）、又は／及び、被空調空間（Ｓ）の人体を検出して信号を出力する検出器（１５）を、設け、この検出器（１５）の信号に応じて吹出風量と照明器具調光の一方又は両方を制御するように構成した請求項３又は４記載の誘引吹出口。